【事件の表示】
　特許第３０２０８８６号「弾球遊技機の基板ケース封止装置」の請求項１ないし４に係る特許に対する特許異議の申立てについて、次のとおり決定する。
【結　論】
　訂正を認める。
　特許第３０２０８８６号の請求項１ないし４に係る特許を維持する。
【理　由】
１．手続の経緯
　本件特許の請求項１乃至４に係る発明についての出願は、平成９年３月１２日に特許出願され、平成１２年１月１４日にその発明についての特許権の設定登録がされ、その後、その特許について、申立人町田彬により特許異議の申立てがなされ、取消の理由が通知され、その指定期間内である平成１３年６月２６日に訂正請求がなされたものである。
　
２．訂正の適否についての判断
２−１．訂正の内容
　特許権者が求めている訂正の内容は以下のａ乃至ｃのとおりである。
ア．訂正事項ａ
　特許請求の範囲の請求項１について、「この突出板部（４６）」を「１個の突出板部（４６）」と訂正する。
イ．訂正事項ｂ
　明細書の段落【０００６】について、「この突出板部４６」を「１個の突出板部４６」と訂正する。
ウ．訂正事項ｃ
　明細書の段落【００４０】について、「この突出板部４６」を「１個の突出板部４６」と訂正する。
２−２．訂正の目的の適否、新規事項の有無、及び特許請求の範囲の拡張・変更の存否
　上記訂正事項ａは、特許請求の範囲の請求項１に記載された「この突出板部（４６）に各ネジ螺合部（３７）を一体に設け」をより下位概念である「１個の突出板部（４６）に各ネジ螺合部（３７）を一体に設け」に訂正するものであるから、特許請求の範囲の減縮を目的とした明細書の訂正に該当する。
　そして、願書に添付された明細書及び図面（以下、「特許明細書」という。）、特に段落【００１４】乃至【００１６】及び図４乃至１０の記載を参照すると、「１個の突出板部に各ネジ螺合部を一体に設けた」点は特許明細書に記載されているものと認められる。したがって上記訂正事項ａは、特許明細書に記載した事項の範囲内においてしたものと認められるから、新規事項の追加に該当せず、また実質上特許請求の範囲を拡張し又は変更するものでもない。
　また上記訂正事項ｂ及びｃは、特許請求の範囲の請求項１の記載を訂正する上記訂正事項ａに対応して発明の詳細な説明の記載を訂正するものであるから、不明りょうな記載の釈明を目的とした明細書の訂正に該当する。そして、その訂正の内容が特許明細書に記載した事項の範囲内においてしたものであることは上記検討したとおりであるから、上記訂正事項ｂ及びｃは、新規事項の追加に該当せず、また実質上特許請求の範囲を拡張し又は変更するものでもない。
２−３．むすび
　したがって上記訂正は、特許法第１２０条の４第２項及び同条第３項において準用する特許法第１２６条第２項から第４項までの規定に適合するので、当該訂正を認める。
　
３．特許異議の申立てについて
３−１．本件発明
　本件特許の請求項１乃至４に係る発明（以下、「本件発明１」乃至「本件発明４」は、平成１３年６月２６日付けの訂正明細書の特許請求の範囲の請求項１乃至４に記載された事項により特定される次のとおりのものである。
「【請求項１】　ケース本体（２３）と、このケース本体（２３）に開閉自在に装着されたケース蓋（２２）とを備え、遊技動作を制御するＲＯＭ等の電子部品が装着された制御基板（１３）を収納した弾球遊技機の基板ケースにおいて、ケース本体（２３）とケース蓋（２２）との側縁近傍に、相対応するネジ螺合部（３７）とネジ挿通部（３８）とを前記側縁に沿って複数個配置し、ケース本体（２３）とケース蓋（２２）との内、その一方と各ネジ挿通部（３８）とを夫々切断部（３９）を介在して一体に形成し、他方に、外方に突出する突出板部（４６）を一体に設け、１個の突出板部（４６）に各ネジ螺合部（３７）を一体に設け、この複数個のネジ螺合部（３７）とネジ挿通部（３８）との内、その少なくとも１個のネジ螺合部（３７）とネジ挿通部（３８）とを、締め付け方向にのみ操作可能で且つネジ挿通部（３８）側からネジ螺合部（３７）側に螺合する一方向ネジ（４０）により締結したことを特徴とする弾球遊技機の基板ケース封止装置。
【請求項２】　複数個のネジ螺合部（３７）とネジ挿通部（３８）との内、その１個のネジ螺合部（３７）とネジ挿通部（３８）とを一方向ネジ（４０）で締結し、他のネジ挿通部（３８）側に、締め付け方向にのみ操作可能で且つネジ挿通部（３８）側からネジ螺合部（３７）側に螺合可能な一方向ネジ（４０）の先端側を螺合して仮止めしたことを特徴とする請求項１に記載の弾球遊技機の基板ケース封止装置。
【請求項３】　各ネジ螺合部（３７）を有底状に構成し、各ネジ挿通部（３８）のネジ螺合部（３７）と反対側に、該ネジ挿通部（３８）に挿通された一方向ネジ（４０）の少なくとも頭部（４１）側を取り囲むように保護筒部（５４）を一体に設けたことを特徴とする請求項１又は２に記載の弾球遊技機の基板ケース封止装置。
【請求項４】　保護筒部（５４）をネジ挿通部（３８）に仮止めされた一方向ネジ（４０）の頭部（４１）を取り囲む高さとしたことを特徴とする請求項１乃至３の何れかに記載の弾球遊技機の基板ケース封止装置。」
３−２．申立ての理由の概要
　申立人町田彬は、証拠として甲第１号証（特開平１０−２１６３２３号公報）及び甲第２号証（特開平９−２９９５５４号公報）を提出し、本件発明１乃至４についての特許は、特許法第２９条の２の規定に違反してなされたものであるから特許法第１１３条第２号の規定により取り消すべきものである旨主張している。
３−３．申立人が提出した各甲号証に係る発明
（１）甲第１号証について
　本件特許の出願の日前の出願であって、その出願後に出願公開された特願平９−４０１３９号（特開平１０−２１６３２３号公報（甲第１号証））の願書に最初に添付した明細書又は図面（以下、「先願１明細書」という。）には、以下の発明が記載されている。
「【請求項１】　ボックスベースにボックスカバーを被せてなる遊技機用基盤ボックスに直接的又は間接的に設けるとともに、次ぎの１（丸数字）〜４（丸数字）の要件を具備する遊技機用基盤ボックスの封印手段。１（丸数字）封印ねじを使ってボックスカバーが開かないように止める。２（丸数字）封印ねじの頭部の外周を囲うように固定的な球ホルダーを突設する。３（丸数字）前記球ホルダーは、パチンコ球が入る大きさを有し、且つ、一旦入ったパチンコ球が抜けない嵌め殺し構造にする。４（丸数字）前記球ホルダーにパチンコ球を嵌め込み、そのパチンコ球で封印ねじの頭部をブロックする。」（特許請求の範囲）
「本発明は、遊技機の制御基盤を収納する遊技機用基盤ボックス（以下単に基盤ボックスという。）の封印手段に関する。」（明細書段落【０００１】）
「ところで、・・・この封印ねじとは、例えば、締め付け方向にのみドライバーと係合する特殊な十字溝を頭部に形成したもので、緩める方向に対してドライバーが空回りするようになっている。従って、封印ねじでボックスベースに接合したボックスカバーは通常取り外せない。」（明細書段落【０００３】）「基盤ボックス１は、図２に示したように例えば遊技機の一種であるパチンコ機Ｐにおいて、遊技板２の裏側に設けた入賞球集合カバー３に取り付けられている。基盤ボックス１は、金属製で四角い箱形のボックスベース１ａと、透明な合成樹脂製で四角い箱形のボックスカバー１ｂとの組合せであって、内蔵ロムなどの電子部品の集合体である制御基盤（図示せず）が内部に収められている。
【００１０】しかして、前記ボックスカバー１ｂの上下側面には、中央の取付片１８を挟んで左右にねじ止め片４がそれぞれ２つづつ設けられている。各ねじ止め片４には、円筒形状の球ホルダー５が突設されており、その球ホルダー５の中心部分に前記封印ねじ（段落番号０００３参照）を通すためのねじ通孔６が穿設されている。また、ねじ止め片４は、コーナー部分を挟んで正面側に切欠部７が設けられていて、図１に示したように基端部の幅ｘがねじ止め片４の幅ｙより小さく（好ましくはｘ／ｙ＝１／３〜２／３）なっている。前記球ホルダー５は、パチンコ球がきつく嵌まる内径とすっぽり収まる深さを有し、入口部分にパチンコ球の嵌め込みを容易にする目的で緩やかなテーパ部８が設けてある。」（明細書段落【０００９】及び【００１０】）
「一方、前記ボックスベース１ａの上下側面には、前記ボックスカバー１ｂの取付片１８に穿設した取付孔１９に対応させて雌ねじ孔２０が設けられ、また、ねじ止め片４に穿設したねじ通孔６に対応させてねじ孔９が設けられている。・・・後述するようにねじ止め片４を切断する際に、・・・防止する。」（明細書段落【００１１】及び【００１２】）
「次ぎに、上記基盤ボックス１の使用方法について説明する。先ず、ボックスベース１ａにボックスカバー１ｂを被せ、取付片１８の取付孔１９に繰り返し使用可能な普通のねじ２２を通し、それをボックスベース１ａの雌ねじ孔２０に入れて締め付ける。次ぎに、上下各１つのねじ止め片４のねじ通孔６に封印ねじ１２を通し、その封印ねじ１２をドライバーなどの工具で回してボックスベース１ａのねじ孔９にきつく締め付ける。」（明細書段落【００１４】）
「次ぎに、この封印状態にある基盤ボックス１から内蔵ロムを外して検査する方法について説明する。封印ねじ１２の頭部がパチンコ球Ｂによってブロックされているから、適法に検査する場合であってもボックスカバー１ｂは外せない。そこで、封印されているねじ止め片４の切欠部７にニッパなどの工具の先を差し入れ、ねじ止め片４の基端部を切断する。このときねじ止め片４の基端部の幅ｘがねじ止め片４の幅ｙに対してほぼ１／２程度になっていて切断が容易である。
【００１６】こうしてねじ止め片４を切断することにより封印が解除され、ボックスカバー１ｂを開くことができる。そして、内蔵ロムの検査終了後、ボックスベース１ａにボックスカバー１ｂを被せて取付片１８をねじ２２で止め、さらに残っている未使用のねじ止め片４を上下各１つづつ使って再度封印する。本実施形態１ではねじ止め片４が上下に各４つづつ計４組設けられているから、３回まで封印を解くことができる。」（明細書段落【００１５】及び【００１６】）
「前記封印カバー１３は、合成樹脂製または金属製であって、基盤ボックス１の正面に被さる正面板１３ａと、その正面板１３ａの両横に形成した横板１３ｂと、前記正面板１３ａの上下両端にそれぞれ４つづつ形成したねじ止め片４とからなる。このねじ止め片４は、球ホルダー５の軸線がパチンコ機Ｐの前後方向に向いている点を除けば前記実施形態１のねじ止め片４と同じである。従って、球ホルダー５の中心部分にねじ通孔６がある。なお、ねじ止め片４と球ホルダー５は実施形態２のように別体構造にしてもよい。一方、入賞球集合カバー３には、封印カバー１３のねじ止め片４に対応する位置に突起１４が設けられていて、その突起１４にねじ孔９がある。」（明細書段落【００２１】）
（２）甲第２号証について
　本件特許の出願の日前の出願であって、その出願後に出願公開された特願平８−１４１０９０号（特開平９−２９９５５４号公報（甲第２号証））の願書に最初に添付した明細書又は図面（以下、「先願２明細書」という。）には、以下の発明が記載されている。
「【請求項１】遊技機に設けられる回路基板を収納する基板収納ボックスにおいて、該基板収納ボックスが前記回路基板を含む複数の構成部品によって組み付け構成されると共に、前記回路基板を被覆するための組付構成部品に係る所定の部位を破壊しない限りその被覆状態を解除することができない第１の固着手段と、該第１の固着手段による被覆状態を解除した後に再度前記回路基板の被覆状態を復元し且つそれ自体を破壊しない限りその被覆状態を解除することができない第２の固着手段と、を備え、前記第２の固着手段において使用する固着部品を装備したことを特徴とする遊技機の基板収納ボックス。」（特許請求の範囲）
「本発明は、遊技機、例えば、パチンコ遊技機やスロットマシンに設けられる回路基板を収納する基板収納ボックスに関するものである」（明細書段落【０００１】）
「本実施形態においては、箱体６１の短辺側側壁に外側に向かって突設される取付突片７４の止着穴７５とカバー体８０の短辺側に外側に向かって突設される取付部８８の取付穴９０にワンウェイ取付ネジ９９を螺着している。このため、ワンウェイ取付ネジ９９を緩める方向に回動させることができないので、箱体６１とカバー体８０とを分離することはできない。仮に、これらを分離しようとする場合には、後述するようにカバー体８０の取付部８８をカバー体８０と連結している切断用連結リブ９１を破壊しなければならないので、その切断用連結リブ９１部分が破壊されているか否かを見ることにより、極めて容易に箱体６１とカバー体８０とを分離したか否かが分かるようになっている。」（明細書段落【００２４】）
「上記のように遊技制御回路基板１１０を箱体６１に固定し且つカバー体８０で被覆した後に、箱体６１とカバー体８０とを破壊しない限り分離できない構成として、カバー体８０の短辺側の手前側には、一対の切断用連結リブ９１を介して取付部８８が一体的に形成されている。取付部８８には、底面が閉塞された凹部８９が形成され、その凹部８９の底面中心に取付穴９０が穿設され、その取付穴９０が前記取付突片７４の止着穴７５に対応している。一方、取付部８８に対応する位置のカバー体８０のやや内側にも底面が閉塞される凹部９２が形成され、その凹部９２の底面中心にも取付穴９３が穿設され、その取付穴９０が前記再閉塞用取付ボス６８の止着穴６９に対応している。上記した構成のうち、箱体６１の取付突片７４の止着穴７５とカバー体８０の取付部８８の取付穴９０とは、前述したように初期の段階でカバー体８０と箱体６１との閉塞状態を保持するためのワンウェイ取付ネジ９９を止着するものであり、箱体６１の再閉塞用取付ボス６８の止着穴６９と凹部９２の取付穴９３とは、再閉塞（再被覆）時にカバー体８０と箱体６１との閉塞状態を保持するための予備ワンウェイ取付ネジ１００を止着するものである。」（明細書段落【００３２】）
「ここで、ワンウェイ取付ネジ９９の構造について図７を参照して説明する。図７（Ａ）に示すワンウェイ取付ネジ９９は、その頭部９９ａに形成される窪みの形状が三点係止構造のドライバー工具を時計回転方向（図示のａ方向）に回転したときに係止する掛止部９９ｂと、ドライバー工具を反時計回転方向（図示のｂ方向）に回転したときにドライバー工具の先端が係合することなく滑る傾斜部９９ｃとを有し、しかもその傾斜部９９ｃがテーパー面９９ｄとなっている。このため、ａ方向の回転によりドライバー工具の先端が掛止部９９ｂと係合してネジを締着することができるが、逆に、ｂ方向の回転によりドライバー工具の先端が傾斜部９９ｃとテーパー面９９ｄとによって外側に飛び出すようになって緩めることができない。つまり、このワンウェイ取付ネジ９９は、締着することができるものの、一旦締着した後には、緩めることができないという機能を有するものである。」（明細書段落【００３５】）
「取付突片が箱体の短辺方向両側側壁に１つずつ外側に向かって突設され、取付部がカバー体の短辺方向両側端縁に１つずつ切断用連結リブを介して一体的に形成されている。」（図１及び２）
３−４．対比・判断
（１）先願１明細書に記載された発明との対比・判断について
　本件発明１と先願１明細書に記載された発明を比較すると、先願１明細書に記載された発明の「ボックスベース」、「ボックスカバー」、「遊技機の制御基盤」、「遊技機用基板ボックス」、「ねじ孔」、「ねじ止め片」、「ねじ止め片の基端部」及び「封印ねじ」は、各々、本件発明１の「ケース本体」、「このケース本体に開閉自在に装着されたケース蓋」、「遊技動作を制御するＲＯＭ等の電子部品が装着された制御基板」、「弾球遊技機の基板ケース」、「ネジ螺合部」、「ネジ挿通部」、「切断部」及び「締め付け方向にのみ操作可能な一方向ネジ」に相当し、そして先願１明細書に記載された発明において、上記封印ねじは上記ねじ止め片側から上記ねじ孔に螺合しているから、両者は、「ケース本体と、このケース本体に開閉自在に装着されたケース蓋とを備え、遊技動作を制御するＲＯＭ等の電子部品が装着された制御基板を収納した弾球遊技機の基板ケースにおいて、ケース本体とケース蓋との側縁近傍に、相対応するネジ螺合部とネジ挿通部とを前記側縁に沿って複数個配置し、ケース本体とケース蓋との内、その一方と各ネジ挿通部とを夫々切断部を介在して一体に形成し、この複数個のネジ螺合部とネジ挿通部との内、その少なくとも１個のネジ螺合部とネジ挿通部とを、締め付け方向にのみ操作可能で且つネジ挿通部側からネジ螺合部側に螺合する一方向ネジにより締結したことを特徴とする弾球遊技機の基板ケース封止装置。」である点で一致し、前者は上記ケース本体とケース蓋の他方に外方に突出する突出板部を一体に設け、１個の該突出板部に上記複数個配置されたネジ螺合部を一体に設けているのに対し、後者は上記ねじ孔を上記ボックスベースの上下側面に直接設けている点で相違する。
　そして、ケース本体とケース蓋の何れかに一体に設けられた外方に突出する１個の突出板部に複数個のネジ螺合部を一体に設ける点が本件特許の出願時において周知であったと認めるに足る証拠は見出せない。
　したがって、本件発明１と先願１明細書に記載された発明は同一ではない。
　さらに、本件発明２乃至４は何れも本件発明１を引用しているから、本件発明２乃至４と先願１明細書に記載された発明は同一ではない。
（２）先願２明細書に記載された発明との対比・判断について
　本件発明１と先願２明細書に記載された発明を比較すると、先願２明細書に記載された発明の「箱体」、「カバー体」、「回路基板」、「遊技機の基板収納ボックス」、「取付突片」、「取付部」、「切断用連結リブ」、「ワンウェイ取付ネジ」及び「取付部には、底面が閉塞された凹部が形成され、その凹部の底面中心に取付穴が穿設され、」は、各々、本件発明１又は３の「ケース本体」、「このケース本体に開閉自在に装着されたケース蓋」、「遊技動作を制御するＲＯＭ等の電子部品が装着された制御基板」、「弾球遊技機の基板ケース」、「ネジ螺合部」かつ「突出板部」、「ネジ挿通部」、「切断部」、「締め付け方向にのみ操作可能な一方向ネジ」及び「各ネジ螺合部を有底状に構成し、各ネジ挿通部のネジ螺合部と反対側に、該ネジ挿通部に挿通された一方向ネジの少なくとも頭部側を取り囲むように保護筒部を一体に設けた」に相当し、そして先願２明細書に記載された発明において、上記取付突片は上記箱体の短辺方向両側側壁に１つずつ外側に向かって突設され、上記取付部は上記カバー体の短辺方向両側端縁に１つずつ上記切断用連結リブを介して一体的に形成され、上記ワンウェイ取付ネジは上記取付部側から上記突出突片側に螺合しているから、両者は、「ケース本体と、このケース本体に開閉自在に装着されたケース蓋とを備え、遊技動作を制御するＲＯＭ等の電子部品が装着された制御基板を収納した弾球遊技機の基板ケースにおいて、ケース本体とケース蓋との側縁近傍に、相対応するネジ螺合部とネジ挿通部とを前記側縁に沿って複数個配置し、ケース本体とケース蓋との内、その一方と各ネジ挿通部とを夫々切断部を介在して一体に形成し、他方に、外方に突出する突出板部を一体に設け、突出板部にネジ螺合部を一体に設け、この複数個のネジ螺合部とネジ挿通部との内、その少なくとも１個のネジ螺合部とネジ挿通部とを、締め付け方向にのみ操作可能で且つネジ挿通部側からネジ螺合部側に螺合する一方向ネジにより締結したことを特徴とする弾球遊技機の基板ケース封止装置。」である点で一致し、前者は上記１個の突出板部に上記複数個配置されたネジ螺合部を一体に設けているのに対し、後者は本件発明１の上記ネジ螺合部に相当する構成を１つ有する上記取付突片を上記箱体の側壁に複数突設している点で相違する。
　そして、ケース本体とケース蓋の何れかに一体に設けられた外方に突出する１個の突出板部に複数個のネジ螺合部を一体に設ける点が本件特許の出願時において周知であったと認めるに足る証拠は見出せない。
　したがって、本件発明１と先願２明細書に記載された発明は同一ではない。
　さらに、本件発明２乃至４は何れも本件発明１を引用しているから、本件発明２乃至４と先願２明細書に記載された発明は同一ではない。
　
４．むすび
　以上のとおりであるから、特許異議申立ての理由によっては本件発明１乃至４についての特許を取り消すことはできない。
　また、他に本件発明１乃至４についての特許を取り消すべき理由を発見しない。
　よって、結論のとおり決定する。
【異議決定日】
平成１３年８月８日（２００１．８．８）
【訂正の要旨】
訂正の要旨
▲１▼訂正事項ａ
　特許請求の範囲の請求項１の第７行目の「この突出板部（４６）」を、特許請求の範囲の減縮を目的として、「１個の突出板部（４６）」と訂正する。
▲２▼訂正事項ｂ
　明細書の段落【０００６】の第８行目の「この突出板部４６」を、不明りょうな記載の釈明を目的として、「１個の突出板部４６」と訂正する。
▲３▼訂正事項ｃ
　明細書の段落【００４０】の第８行目の「この突出板部４６」を、不明りょうな記載の釈明を目的として、「１個の突出板部４６」と訂正する。
（５４）【発明の名称】
弾球遊技機の基板ケース封止装置
（５７）【特許請求の範囲】
　【請求項１】　ケース本体（２３）と、このケース本体（２３）に開閉自在に装着されたケース蓋（２２）とを備え、遊技動作を制御するＲＯＭ等の電子部品が装着された制御基板（１３）を収納した弾球遊技機の基板ケースにおいて、ケース本体（２３）とケース蓋（２２）との側縁近傍に、相対応するネジ螺合部（３７）とネジ挿通部（３８）とを前記側縁に沿って複数個配置し、ケース本体（２３）とケース蓋（２２）との内、その一方と各ネジ挿通部（３８）とを夫々切断部（３９）を介在して一体に形成し、他方に、外方に突出する突出板部（４６）を一体に設け、
１個
　【請求項２】　複数個のネジ螺合部（３７）とネジ挿通部（３８）との内、その１個のネジ螺合部（３７）とネジ挿通部（３８）とを一方向ネジ（４０）で締結し、他のネジ挿通部（３８）側に、締め付け方向にのみ操作可能で且つネジ挿通部（３８）側からネジ螺合部（３７）側に螺合可能な一方向ネジ（４０）の先端側を螺合して仮止めしたことを特徴とする請求項１に記載の弾球遊技機の基板ケース封止装置。
　【請求項３】　各ネジ螺合部（３７）を有底状に構成し、各ネジ挿通部（３８）のネジ螺合部（３７）と反対側に、該ネジ挿通部（３８）に挿通された一方向ネジ（４０）の少なくとも頭部（４１）側を取り囲むように保護筒部（５４）を一体に設けたことを特徴とする請求項１又は２に記載の弾球遊技機の基板ケース封止装置。
　【請求項４】　保護筒部（５４）をネジ挿通部（３８）に仮止めされた一方向ネジ（４０）の頭部（４１）を取り囲む高さとしたことを特徴とする請求項１乃至３の何れかに記載の弾球遊技機の基板ケース封止装置。
【発明の詳細な説明】
　【０００１】
　【発明の属する技術分野】
　本発明は、パチンコ機、アレンジボール機等の弾球遊技機に使用する基板ケース封止装置に関するものである。
　【０００２】
　【従来の技術】
　パチンコ機等の弾球遊技機では、ケース本体とケース蓋とにより開閉自在に構成された基板ケース内に、ＲＯＭ等の電子部品が装着された制御基板を収納し、この基板ケースを遊技盤の裏側の裏カバー等に装着して、制御基板側のＲＯＭ等の電子部品により遊技動作を制御する電子制御方式を採用している。
　この種の弾球遊技機では、制御基板に装着されたＲＯＭ等の電子部品を不正に交換できないようにすると同時に、監督官庁等の検査機関による検査の時には、その基板ケースを開けて容易に検査できるようにしておく必要がある。
　【０００３】
　そこで、従来は基板ケースに封印シール用のシール貼付部を設け、制御基板を基板ケースに収納した後、基板ケースのシール貼付部に封印シールを貼付して封印するようにしている。この場合には、封印シールを破って基板ケースを開封しＲＯＭを交換する等の不正改造があれば、封印シールの破損によってその事実が容易に判り、また検査機関による検査の時には、封印シールを破って基板ケースを容易に開封でき、その検査後、再度シール貼付部に封印シールを貼付すれば、基板ケースを容易に封印できる。
　【０００４】
　【発明が解決しようとする課題】
　従来の封印シールによる封印方式では、基板ケースを開けてＲＯＭを交換する等の不正改造を確実に防止し得ない欠点がある。
　即ち、従来の封印シールによる封印方式では、粘着剤付きの封印シールを用い、この封印シールをシール貼付部に貼付しているため、その粘着剤の粘着力を低下させる特殊な溶剤を使用すれば、痕跡を残すことなく封印シールを比較的容易に剥がすことができ、またその封印シールを再度シール貼付部に貼り付けることも可能である。
　【０００５】
　このため、基板ケースを開けてＲＯＭ等を交換する不正改造を未然に防止し得ないのは勿論のこと、不正改造が行われた場合にも、封印シールに痕跡が残らないため、単に基板ケースを外側から見て点検する程度ではその事実を容易に発見できず、不正改造を助長する結果となっている。
　本発明は、このような従来の課題に鑑み、切断部を切断しない限り基板ケースを開封できないようにして、検査で基板ケースを開封した時には、基板ケース側に残る痕跡により開封の事実を容易に確認でき、また開封後に再封止する時にも容易に基板ケースを封止でき、基板ケースの開封による不正改造を未然に防止できる弾球遊技機の基板ケース封止装置を提供することを目的とする。
　【０００６】
　【課題を解決するための手段】
　請求項１に記載の本発明は、ケース本体２３と、このケース本体２３に開閉自在に装着されたケース蓋２２とを備え、遊技動作を制御するＲＯＭ等の電子部品が装着された制御基板１３を収納した弾球遊技機の基板ケースにおいて、ケース本体２３とケース蓋２２との側縁近傍に、相対応するネジ螺合部３７とネジ挿通部３８とを前記側縁に沿って複数個配置し、ケース本体２３とケース蓋２２との内、その一方と各ネジ挿通部３８とを夫々切断部３９を介在して一体に形成し、他方に、外方に突出する突出板部４６を一体に設け、
１個
　請求項２に記載の本発明は、請求項１に記載の発明において、複数個のネジ螺合部３７とネジ挿通部３８との内、その１個のネジ螺合部３７とネジ挿通部３８とを一方向ネジ４０で締結し、他のネジ挿通部３８側に、締め付け方向にのみ操作可能で且つネジ挿通部３８側からネジ螺合部３７側に螺合可能な一方向ネジ４０の先端側を螺合して仮止めしたものである。
　【０００７】
　請求項３に記載の本発明は、請求項１又は２に記載の発明において、各ネジ螺合部３７を有底状に構成し、各ネジ挿通部３８のネジ螺合部３７と反対側に、該ネジ挿通部３８に挿通された一方向ネジ４０の少なくとも頭部４１側を取り囲むように保護筒部５４を一体に設けたものである。
　請求項４に記載の本発明は、請求項１乃至３の何れかに記載の発明において、保護筒部５４をネジ挿通部３８に仮止めされた一方向ネジ４０の頭部４１を取り囲む高さとしたものである。
　【０００８】
　【発明の実施の形態】
　以下、本発明の実施形態を図面に基づいて詳述する。
　図１乃至図１２は本発明の第１の実施形態を例示する。図１は弾球遊技機の背面を示し、１は弾球遊技機、２は自動球貸し機で、これらは島側に交互に配置されている。３は矩形状の外枠、４は外枠３の前側に装着された前枠で、これらにより弾球遊技機本体５が構成されている。６は遊技盤で、前枠４に裏側から着脱自在に装着され、裏機構板７により裏側から押圧して固定されている。遊技盤６には入賞手段、変動図柄表示手段等が装着されると共に、それらを裏側から覆う裏カバー８が裏側に装着されている。
　【０００９】
　裏機構板７は前枠４の裏側に上下一対のヒンジ９により開閉自在に枢着され、４個のロックレバーで前枠４の裏側に固定されている。裏機構板７には、その中央部に裏カバー８が嵌合するように開口部１０が形成されている。裏カバー８は、遊技盤６の入賞手段、変動図柄表示手段等に対応する上部側に、後方へと大きく膨らむ膨らみ部１１を有し、この膨らみ部１１の下側が平坦なケース装着部１２となっている。そして、ケース装着部１２に、制御基板１３を収納した基板ケース１４が裏側から着脱自在に装着されている。
　【００１０】
　１５は発射手段で、前枠４の裏側に装着された発射モータ１６等を備え、前枠４の前面側の操作ハンドルを操作した時に発射モータ１６が作動して、遊技盤６側に遊技球を発射するように構成されている。１７は賞球を貯留する賞球タンク、１８は賞球タンク１７からの賞球を案内する賞球レールである。１９は払い出し手段で、入賞時に賞球タンク１７から賞球レール１８を経て供給される遊技球を上皿へと払い出すようになっている。なお、賞球タンク１７、賞球レール１８及び払い出し手段１９は、裏機構板７に装着されている。
　【００１１】
　２０は入賞時に払い出し手段１９を制御する払い出し制御ユニット、２１は自動球貸し機２を制御する球貸し制御ユニットで、これらは裏機構板７の下部側に着脱自在に装着されている。
　基板ケース１４は、図２及び図３に示すように、合成樹脂製の矩形板状のケース蓋２２と、このケース蓋２２の裏側に着脱自在に装着された合成樹脂製のケース本体２３とを備え、左右方向に長い横長状に構成されている。
　【００１２】
　ケース蓋２２の前側には、図２、図４乃至図７に示すように、周縁側に補強リブ２４が、中間部分に複数個の係合爪２５が夫々形成されている。係合爪２５はケース装着部１２側の係合部２６ａに対して係脱自在であり、この係合爪２５を介してケース蓋２２が裏カバー８のケース装着部１２に着脱自在に装着されている。ケース蓋２２の裏側には、周縁側に補強兼用の嵌合リブ２６が形成され、その嵌合リブ２６の内側の４隅に取り付けボス２７が形成されている。
　【００１３】
　ケース本体２３は、図２、図４乃至図７に示すように、後壁部２８と、この後壁部２８の周縁から前側に突出する周壁部２９とを有し、ケース蓋２２に対向して前側が開放する箱状に形成され、その周壁部２９の開口側がケース蓋２２の嵌合リブ２６の外周側に嵌合されている。周壁部２９には、上下にコネクタ接続用の切り欠き部３０，３１が、４隅にケース蓋２２側の取り付けボス２７に対応する取り付けボス３２が夫々設けられている。そして、ケース蓋２２とケース本体２３は、両取り付けボス２７，３２間に制御基板１３を介在した状態で、取り付けボス２７側から挿通されて取り付けボス３２に螺合する４個の固定ネジ３３により着脱自在に締結されている。
　【００１４】
　基板ケース１４の側縁には、図１乃至図３に示すように、その対角線方向に極力離間した位置、即ち下縁側の左端側と右縁側の上端側との２か所に、外側方に突出するように側縁に沿って第１封止部３４と第２封止部３５が設けられている。
　各封止部３４，３５は、図４、図５、図７乃至図１０に示すように、ケース蓋２２の側縁から外側方に突出する支持部３６と、この支持部３６にケース蓋２２の側縁に沿って所定間隔を置いて配置された４個のネジ螺合部３７と、この各ネジ螺合部３７にケース分離方向の裏側から相対応する４個のネジ挿通部３８と、この各ネジ挿通部３８をケース本体２３の周壁部２９に個別に連結する切断部３９と、締め付け方向にのみ操作可能で且つネジ挿通部３８側からネジ螺合部３７側に螺合し又はネジ挿通部３８側に仮止めされた４個の一方向ネジ４０とを備えている。
　【００１５】
　そして、各封止部３４，３５は、遊技盤ユニット又は弾球遊技機の出荷時には、その一端側の一方向ネジ４０をネジ挿通部３８側からネジ螺合部３７側に螺合し締結して基板ケース１４を封止し、他の３本の一方向ネジ４０が検査後の再封止用として他のネジ挿通部３８側に先端を螺合し仮止めされている。
　各一方向ネジ４０はタッピング式であって、図１１及び図１２に示すように、頭部４１側に一方向係合溝４２が、軸部４３側の螺旋条４４に切り欠き部４５が夫々設けられ、一方向係合溝４２に係合するドライバー等の工具により締め付け方向の一方向にのみ操作できるようになっている。
　【００１６】
　支持部３６はケース蓋２２と一体であって、図４、図５、図７乃至図１０に示すように、ケース蓋２２の嵌合リブ２６の後端から外側方に突出する突出板部４６と、この突出板部４６の先端側からネジ挿通部３８と反対の裏カバー８側に屈曲する屈曲板部４７と、突出板部４６及び屈曲板部４７の両端とケース蓋２２側の各リブ２４，２６とを連結する端板部４８とにより構成され、その屈曲板部４７の内側で且つ突出板部４６の前側に４個のネジ螺合部３７が配置されている。
　【００１７】
　各ネジ螺合部３７は、図１１及び図１２に示すように、一方向ネジ４０用の螺合孔４９の前端側が底壁部５０により封じられた有底円筒状であり、突出板部４６から前側に突出し且つ外周の一部が屈曲板部４７の内側に一体となるように、突出板部４６と屈曲板部４７とに跨がって形成されている。各ネジ螺合部３７の螺合孔４９の開口端側には、螺合孔４９よりも大径の嵌合凹部５１が形成されている。
　【００１８】
　各ネジ挿通部３８は、図１１及び図１２に示すように一方向ネジ４０の挿通孔５２を有し、前側にネジ螺合部３７の嵌合凹部５１に嵌合する嵌合突部５３が、その反対側に一方向ネジ４０用の保護筒部５４が夫々一体に形成され、外周側が全体として円形状になっている。各保護筒部５４は、ネジ挿通部３８に裏側から先端を螺合して仮止めされた一方向ネジ４０を完全に覆う高さとなっている。
　【００１９】
　切断部３９は、図４、図５及び図７に示す如く、保護筒部５４の後端側でネジ挿通部３８とケース本体２３の周壁部２９とを接続するように、ケース本体２３の周壁部２９、ネジ挿通部３８及び保護筒部５４と一体に形成され、また制御基板１３のＲＯＭ等を検査する時にニッパー等の工具で容易に切断できるように中央部側が薄く括れてい。
　なお、封止部３４，３５には、図４及び図５に示すように、各一方向ネジ４０を締め付けて使用する順番を示す「１」〜「４」の刻印が切断部３９に付されている。またケース本体２３の後壁部２８の裏面には、図３に示すように検査シールを貼付するシール貼付部５６が設けられている。
　【００２０】
　弾球遊技機１又は遊技盤ユニットを製作する際には、ＲＯＭ等の電子部品が装着された制御基板１３を基板ケース１４内に収納して、その封止部３４，３５を封止した後、この基板ケース１４を裏カバー８側に装着する。なお、この場合には、ケース蓋２２側の係合爪２５を介して裏カバー８のケース装着部１２に装着する。
　基板ケース１４の組み立て時には、先ず切断部１３をケース本体２３内の開口側にセットし、各封止部３４，３５のネジ挿通部３８の嵌合突部５３とネジ螺合部３７の嵌合凹部５１とを嵌合させながら、制御基板１３の上からケース本体２３の開口にケース蓋２２をセットする。そして、取り付けボス２７側から制御基板１３を貫通して取り付けボス３２に固定ネジ３３を螺合し、この固定ネジ３３によりケース本体２３とケース蓋２２とを結合する。
　【００２１】
　次にケース本体２３とケース蓋２２とを固定した後、各封止部３４，３５にある４本の一方向ネジ４０の内、「１」の刻印に対応する一方向ネジ４０の頭部４１側にドライバー等の工具を係合させて、この一方向ネジ４０をネジ挿通部３８側からネジ螺合部３７に螺合し締結して基板ケース１４を封止する。
　この時、一方向ネジ４０にはタッピングネジを使用しているので、この一方向ネジ４０を工具により締め付け方向に操作すれば、その軸部４３側がネジ挿通部３８の挿通孔５２からネジ螺合部３７の螺合孔４９に食い込んで行き、ネジ挿通部３８とネジ螺合部３７とを容易に締結できる。
　【００２２】
　従って、この封止状態で弾球遊技機１又は遊技盤ユニットを出荷すれば、ネジ挿通部３８及びネジ螺合部３７がケース本体２３及びケース蓋２２と一体であり、その刻印「１」側のネジ挿通部３８とネジ螺合部３７とを一方向ネジ４０で締結しているため、この刻印「１」側の切断部３９を切断しない限り、基板ケース１４を開けて制御基板１３を取り出すことはできなくなる。
　【００２３】
　ホール等に弾球遊技機１を設置した後に、その制御基板１３のＲＯＭ等の検査を行う場合には、各封止部３４，３５の刻印「１」側の切断部３９をニッパー等の工具で切断する。そして、切断部３９を切断すると、その切断されたネジ挿通部３８はケース本体２３の周壁部２９から分離してネジ螺合部３７側に締結状態のままで残り、このネジ挿通部３８、ネジ螺合部３７及び一方向ネジ４０による封止を解除できるので、基板ケース１４を開けて制御基板１３又はＲＯＭ等を取り出して容易に検査できる。
　【００２４】
　制御基板１３側の検査後に再封止する場合には、刻印「２」側のネジ挿通部３８に仮止め状態の一方向ネジ４０を締め付けて、そのネジ挿通部３８とネジ螺合部３７とを締結して基板ケース１４を封止する。このため、検査後に基板ケース１４を容易に再封止できる。
　なお、検査後は、ケース本体２３のシール貼付部５６に貼付された検査履歴シールに、その検査履歴を記載する。
　【００２５】
　検査による開封、再封止は、１個の基板ケース１４について３回まで可能であり、その何れの場合でも、締結側の切断部３９を切断し、その隣側に仮止め状態にある一方向ネジ４０を締め付けて再封止すれば良い。
　この実施形態では、切断部３９を切断して基板ケース１４を開封した場合に、ケース本体２３側に切断部３９を切断した切断跡が残ると共に、その切断片であるネジ挿通部３８がネジ螺合部３７に固定状態のままで残るため、基板ケース１４側に必ず開封の痕跡ができ、その隠蔽も極めて困難である。そのため、基板ケース１４を開封して制御基板１３側のＲＯＭを不正に交換する等の不正改造が行い難くなり、不正改造を未然に防止できる。
　【００２６】
　特に開封の痕跡が基板ケース１４側に残り、その痕跡の完全な隠蔽が極めて困難であるため、不正改造者への精神的抑制の効果を期待でき、不正改造の横行を未然に防止できる。しかも、基板ケース１４側の痕跡と検査履歴シール側の検査履歴とを照合することによって不正改造済か否かの識別も容易にできる。
　また支持部３６に複数個のネジ螺合部３７があり、開封時に切断片となるネジ挿通部３８が支持部３６側に残るので、切断片がゴミとなって散逸することもない。
　【００２７】
　更にケース蓋２２から突出する支持部３６に各ネジ螺合部３７があり、このネジ螺合部３７に対応するネジ挿通部３８がケース本体２３から切断部３９を介して突出しているため、開封に際して切断部３９をニッパー等により容易に切断でき、特にネジ挿通部３８側にのみ切断部３９があるため、ネジ螺合部３７とネジ挿通部３８との両方に切断部３９がある場合に比較して、開封時の切断が容易であり簡単に開封できる。
　またネジ螺合部３７、ネジ挿通部３８が外側方に突出しているため、検査後に再封止する場合にも、ケース本体２３その他が障害となることもなく、仮止め状態の一方向ネジ４０をドライバー等によって容易に操作でき、基板ケース１４を容易に再封止できる。
　【００２８】
　しかも、封止部３４，３５が外側に突出しているため、この封止部３４，３５によって基板ケース１４内の制御基板１３が制約を受けることがなく、制御基板１３の有効面積を十分に確保できる。
　一方向ネジ４０は締め付け方向にのみ操作可能であって、ドライバー等で緩み方向に操作し得ない構造である上に、ネジ挿通部３８側には仮止め状態の一方向ネジ４０を覆う高さの保護筒部５４があり、この保護筒部５４で一方向ネジ４０を取り囲んでいるため、締結状態の一方向ネジ４０の頭部４１をペンチ等の工具で挟んで緩み方向に操作することはできない。またネジ螺合部３７が底壁部５０を一体に備えた有底状であるため、先端側から一方向ネジ４０に何等かの外力を加えて緩み方向に操作することもできない。
　【００２９】
　従って、痕跡を残さずに一方向ネジ４０を操作して基板ケース１４を開封することは殆ど不可能であり、基板ケース１４を開封すれば、必ずその痕跡が基板ケース１４側に残ることになる。
　またネジ挿通部３８の保護筒部５４により仮止め状態の一方向ネジ４０を保護する構造であるため、基板ケース１４の取り扱い等の際に一方向ネジ４０が他に接触して脱落したり、その接触時の外力によってネジ挿通部３８、切断部３９が変形又は破損するようなことも防止できる。
　【００３０】
　切断部３９は保護筒部５４の先端側にあり、ネジ挿通部３８及びネジ螺合部３７から離れているため、この切断部３９をニッパー等で切断して開封する際にも、その先端がネジ挿通部３８、ネジ螺合部３７と干渉し難く、切断部３９を容易に切断できる。
　ネジ螺合部３７に嵌合凹部５１があり、ネジ挿通部３８に嵌合突部５３があって、その両者を互いに嵌合させているので、ネジ螺合部３７とネジ挿通部３８とを確実に位置決めでき、一方向ネジ４０の締め付けが容易であり、またネジ挿通部３８及び保護筒部５４は、一端側の嵌合突部５３がネジ螺合部３７の嵌合凹部５１に嵌合し、他端側が切断部３９で支持されるため、ネジ挿通部３８、保護筒部５４の倒れ等も容易に防止できる。
　【００３１】
　各ネジ螺合部３７は、ケース蓋２２から外方に突出する支持部３６に、ケース蓋２２の側縁に沿って所定間隔を置いて設けているので、支持部３６によって各ネジ螺合部３７を確実に支持でき、ネジ螺合部３７の位置的精度の確保が容易である。また支持部３６は、突出板部４６、屈曲板部４７及び端板部４８により構成しているので、軽量化しつつ十分な強度を確保できる。
　【００３２】
　更に各ネジ螺合部３７は突出板部４６の前側で屈曲板部４７の内側にあり、その突出板部４６と屈曲板部４７とに一体化しているため、突出板部４６、屈曲板部４７及び端板部４８で各ネジ螺合部３７を確実に保護できると共に、各部が互いに補強し合ってその強度を大にできる利点がある。
　【００３３】
　図１３及び図１４は本発明の第２の実施形態を例示し、各封止部３４，３５の隣合うネジ挿通部３８を、切断可能な連結部５８により保護筒部５４側で互いに連結し、基板ケース１４の開封時には、切断部３９の他に連結部５８を切断するようにしたものである。その他の構造は、第１の実施形態と同様である。
　【００３４】
　この場合には、各ネジ挿通部３８を連結部５８を介して互いに補強でき、切断部３９を介してのみケース本体２３に固定する場合に比較して各ネジ挿通部３８の固定が確実となり、ネジ挿通部３８の倒れ等を容易に防止できると共に、切断部３９及び連結部５８の肉厚等を薄くすることが可能である。
　【００３５】
　図１５及び図１６は本発明の第３の実施形態を例示し、基板ケース１４の側縁よりも内側に封止部３４，３５を設けたものである。即ち、ケース蓋２２には、側縁よりも内側に４個のネジ螺合部３７が設けられている。一方、ケース本体２３の周壁部２９には、内側へと凹入する凹入部５９が形成され、その凹入部５９に、各ネジ螺合部３７に対応するネジ挿通部３８が切断部３９を介して一体に設けられている。その他の構造は、第１の実施形態と同様である。
　【００３６】
　この場合には、封止部３４，３５が基板ケース１４の側縁の内側にあるので、封止部３４，３５を外側に突出させて設ける場合に比較して、封止部３４，３５が裏機構板７側の他の部材等と干渉するようなこともない。またケース蓋２２、ケース本体２３又は基板ケース１４の単体で取り扱う場合にも、ネジ螺合部３７、ネジ挿通部３８等を損傷することも少なくなり、その取り扱いが容易である。
　【００３７】
　【００３８】
　以上、本発明の各実施形態について説明したが、本発明はこれに限定されるものではない。
　例えば、各実施形態では、ケース本体２３側に切断部３９を介してネジ挿通部３８を設け、ケース蓋２２側にネジ螺合部３７を設けているが、ケース本体２３側にネジ螺合部３７を設け、ケース蓋２２に切断部３９を介してネジ挿通部３８を設けても良い。
　【００３９】
　遊技盤ユニット又は弾球遊技機１の出荷時には、相対応する１個のネジ螺合部３７とネジ挿通部３８を一方向ネジ４０で締結すれば十分であるが、その締結箇所を必ず１個にする必要はなく、２個にしても良い。
　また封止部３４，３５は、基板ケース１４の側縁の離れた位置に３個設けることも可能であり、その個数は基板ケース１４の大きさを考慮して適宜決定すれば良い。
　更に、ネジ螺合部３７、ネジ挿通部３８は複数個あれば良い。
　出荷時に一方向ネジ４０で締結する側のネジ挿通部３８の保護筒部５４は、その頭部４１を取り囲む程度でも良い。
　【００４０】
　【発明の効果】
　請求項１に記載の本発明によれば、ケース本体２３と、このケース本体２３に開閉自在に装着されたケース蓋２２とを備え、遊技動作を制御するＲＯＭ等の電子部品が装着された制御基板１３を収納した弾球遊技機の基板ケースにおいて、ケース本体２３とケース蓋２２との側縁近傍に、相対応するネジ螺合部３７とネジ挿通部３８とを前記側縁に沿って複数個配置し、ケース本体２３とケース蓋２２との内、その一方と各ネジ挿通部３８とを夫々切断部３９を介在して一体に形成し、他方に、外方に突出する突出板部４６を一体に設け、
１個
　請求項２に記載の本発明によれば、複数個のネジ螺合部３７とネジ挿通部３８との内、その１個のネジ螺合部３７とネジ挿通部３８とを一方向ネジ４０で締結し、他のネジ挿通部３８側に、締め付け方向にのみ操作可能で且つネジ挿通部３８側からネジ螺合部３７側に螺合可能な一方向ネジ４０の先端側を螺合して仮止めしているので、その後の開封による不正改造を未然に防止できると共に、検査等での開封後の再封止が非常に容易である。
　【００４１】
　請求項３に記載の本発明によれば、各ネジ挿通部３８のネジ螺合部３７と反対側に、該ネジ挿通部３８に挿通された一方向ネジ４０の少なくとも頭部４１側を取り囲むように保護筒部５４を一体に設けているので、頭部４１側を工具で挟持して一方向ネジ４０を外すような不正防止できる。
　請求項４に記載の本発明によれば、保護筒部５４をネジ挿通部３８に仮止めされた一方向ネジ４０の頭部４１を取り囲む高さとしているので、仮止め状態の一方向ネジ４０を保護筒部５４で保護でき、取り扱いが非常に容易である。
【図面の簡単な説明】
　【図１】
　本発明の第１の実施形態を示す弾球遊技機の背面図である。
　【図２】
　本発明の第１の実施形態を示す弾球遊技機の基板ケース側の断面図である。
　【図３】
　本発明の第１の実施形態を示す弾球遊技機の基板ケース側の背面図である。
　【図４】
　本発明の第１の実施形態を示す第１封止部の平面断面図である。
　【図５】
　本発明の第１の実施形態を示す第２封止部の平面断面図である。
　【図６】
　図４のＡ−Ａ線断面図である。
　【図７】
　図４のＢ−Ｂ線断面図である。
　【図８】
　図４のＣ−Ｃ線断面図である。
　【図９】
　本発明の第１の実施形態を示すケース蓋の平面図である。
　【図１０】
　図９のＤ−Ｄ線断面図である。
　【図１１】
　本発明の第１の実施形態を示す封止部の拡大断面図である。
　【図１２】
　本発明の第１の実施形態を示す封止部の拡大平面図である。
　【図１３】
　本発明の第２の実施形態を示す第１封止部の平面断面図である。
　【図１４】
　図１３のＥ−Ｅ線断面図である。
　【図１５】
　本発明の第３の実施形態を示す第１封止部の平面断面図である。
　【図１６】
　図１５のＦ−Ｆ線断面図である。
　【符合の説明】
　１３　制御基板
　１４　基板ケース
　２２　ケース蓋
　３７　ネジ螺合部
　２３　ケース本体
　３８　ネジ挿通部
　３９　切断部
　４０　一方向ネジ
　４１　頭部
　５４　保護筒部